(57)【特許請求の範囲】
【請求項１】
成形樹脂製のケースと、上記ケースに配設された複数の固定接点と、上記固定接点間を接離させる可動接点と、を有したプッシュスイッチであって、
上記ケースの底部位置に上記固定接点を構成する部材が露出した下方開口のピン穴を有し、
上記ケースには上記ピン穴を開口側から覆う絶縁シートが貼り合わせられており、上記絶縁シートの下面位置が、上記ケースの底部位置における下端位置よりも高い位置にあるように構成されているプッシュスイッチ。
【発明の詳細な説明】
【技術分野】
【０００１】
本発明は、各種電子機器の操作部等に使用されるプッシュスイッチに関するものである。
【背景技術】
【０００２】
従来のプッシュスイッチについて、図８〜図１０を用いて以下に説明する。
【０００３】
図８は従来のプッシュスイッチの断面図、図９は同分解斜視図、図１０は同下面図である。
【０００４】
同図において、１は、上方が開口した凹部を備えた上面視矩形状に成形樹脂から形成されたケースであり、その凹部の内底面にはインサート成形によって中央接点３と外側接点５とが固定されて配設されている。中央接点３と外側接点５に夫々繋がった端子はケース１側壁の下方位置から外方に向けて水平に突出している。
【０００５】
７は、上方凸型の円形ドーム状に形成された弾性金属薄板製の可動接点であり、その外周下端が外側接点５上に載せられてケース１の凹部内に配されている。
【０００６】
そして、ケース１の平坦な上端面には、可撓性を有する耐熱性絶縁フィルムからなる保護シート９が下面の粘着層１１を介して貼り付けられており、ケース１の凹部上は保護シート９で覆われている。
【０００７】
従来のプッシュスイッチは、以上のように構成されている。その動作は、保護シート９上から可動接点７の中央部を押し下げ操作して、その押圧力が所定の大きさを超えると、可動接点７の中央部が節度を持って反転動作する。これによって、可動接点７の中央部下面が中央接点３に接触してスイッチオン状態になる。上記押し下げ力を除くと、可動接点７が元の上方凸型に自己復帰して、上記中央部下面が中央接点３から離れて元のスイッチオフ状態に戻る。
【０００８】
従来のプッシュスイッチは、上述したように、インサート成形によって形成されたケース１を用いて構成されていた。ここに、ケース１のインサート成形時においては、中央接点３と外側接点５とを定められた高さ位置に配置するために、ケース１底部の下面側から支えピンで各接点３、５およびそれらからの延出部などを支えた状態でインサート成形することが必須であり、その後、ケース１が所定温度に下がった時点で、上記支えピンを抜いてケース１を一回の成形で形成することが多かった。このため、インサート成形品からなるケース１を用いたプッシュスイッチでは、ケース１の底部位置の下方部分に、支えピンによるピン穴１５が下方開口状態で残っているものが主流となっていた。
【０００９】
なお、この出願の発明に関連する先行技術文献情報としては、例えば、特許文献１、特許文献２が知られている。
【先行技術文献】
【特許文献】
【００１０】
【特許文献１】特開２００３−２３４０４０号公報
【特許文献２】特開２００４−３３５４８８号公報
【発明の概要】
【発明が解決しようとする課題】
【００１１】
しかしながら、近年では、プッシュスイッチも様々な箇所に用いられるようになり、当該プッシュスイッチの装着状態で十分な防水性の確保が必要な場合には、当該スイッチを配線基板上に表面実装で半田付け実装させた後、ケース１側壁周囲の全周位置を覆うように防水性樹脂でモールドして、少なくとも上記ピン穴１５と外方との間が隔絶される装着状態にしなければならなかった。上記装着状態に構成するのは機器メーカ側であり、機器メーカからの多々ある要望の中で、上記装着状態とするための工数等を削減するために、プッシュスイッチ単体での防滴性の向上を要望されることも増えてきた。
【００１２】
本発明はこのような課題を解決するものであり、固定接点がインサート成形により固定されて配設されたケースを用いているにも拘わらず、防滴性に優れる構成のプッシュスイッチを提供することを目的とする。
【課題を解決するための手段】
【００１３】
上記目的を達成するために本発明は、以下の構成を有する。
【００１４】
本願発明は、成形樹脂製のケースと、上記ケースに配設された複数の固定接点と、上記固定接点間を接離させる可動接点と、を有したプッシュスイッチであって、上記ケースの底部位置に上記固定接点を構成する部材が露出した下方開口のピン穴を有し、上記ケースには上記ピン穴を開口側から覆う絶縁シートが貼り合わせられており、上記絶縁シートの下面位置が、上記ケースの底部位置における下端位置よりも高い位置にあるように構成されているプッシュスイッチである。
【００１５】
これであれば、固定接点がインサート成形により固定されて配設されたケースを用いているにも拘わらず、単体で防滴性に優れるプッシュスイッチとして容易に実現できると共に、リフローによる半田付け実装中等に、ピン穴内の空気が膨張し絶縁シートが部分的に少し押し下げられたとしても、その影響を抑えて安定した半田付け状態に実装可能なもの
に実現できるという作用を有する。
【発明の効果】
【００１８】
以上のように本発明によれば、固定接点がインサート成形により固定されて配設されているケースを用いているにも拘わらず、防滴性に優れる構成のプッシュスイッチを提供できるという有利な効果が得られる。
【図面の簡単な説明】
【００１９】
【図１】本発明の一実施の形態によるプッシュスイッチの断面図
【図２】同分解斜視図
【図３】同プッシュスイッチを下方側から見た斜視図
【図４】同下面図
【図５】同要部となるケース単体での下面図
【図６】同他の形態によるプッシュスイッチを下方側から見た斜視図
【図７】同分解斜視図
【図８】従来のプッシュスイッチの断面図
【図９】同分解斜視図
【図１０】同下面図
【発明を実施するための形態】
【００２０】
以下、本発明の実施の形態について、図１〜図７を用いて説明する。なお、従来技術のものと同一構成部分には同一符号を付して詳細説明は省略する。
【００２１】
（実施の形態）
図１は本発明の一実施の形態によるプッシュスイッチの断面図、図２は同分解斜視図、図３は同プッシュスイッチを下方側から見た斜視図、図４は同下面図、図５は同要部となるケース単体での下面図である。
【００２２】
同図において、２０は、上方が開口した凹部を備えた上面視矩形状に成形樹脂から形成されたケースであり、その凹部の内底面には中央接点３と外側接点５とがインサート成形によって固定されて配設されている。中央接点３に繋がった端子と外側接点５に繋がった端子は、ケース２０側壁の下方位置から夫々外方に向けて水平に突出した所謂表面実装形のものに形成されている。凹部内には、外周下端が外側接点５上に当接状態で載せられて可動接点７が収容状態に配されている。そして、ケース２０上には、可撓性を有する耐熱性絶縁フィルムからなる保護シート９が下面の粘着層１１を介して貼り付けられており、ケース２０の凹部上は保護シート９で覆われている。
【００２３】
ケース２０は、図１や図５から判るように、底部位置の下方部分にピン穴２２を有している。このピン穴２２は、インサート成形時に上記固定接点３、５を支える支えピンの抜き跡からなりその抜き方向側となる下方開口のものとなっている。そして、ケース２０の底部位置の下方部分の形状としては、少なくともピン穴２２の周囲位置が、上記底部位置の下端位置よりも上方に位置する同一高さの平坦面形状に形成されており、その平坦面部分が設置部２５としてなる構成となっている。設置部２５は、後述する絶縁シート３０を配するためのものであり、その形状は特に限定されるものではないが、説明の都合上、同図に示したように、端子が導出された側辺側どうしの間の中央部分が直線帯状に上方に同一高さの平坦面で窪んでいる形状のものとして以下に説明する。ピン穴２２の全ては、この設置部２５内に位置しており、これであれば、設置部２５の平坦性が容易に確保できるため好ましい。なお、設置部２５はケース２０の角部位置を除くように形状設定するとよい。
【００２４】
そして、３０は、耐熱性を有する絶縁フィルム製の絶縁シートで、外形が矩形状に形成されていると共に、その上面には粘着層３２が形成されている。この絶縁シート３０が、ケース２０の下方側から、粘着層３２によって設置部２５に貼り合わせられており、ピン穴２２の全てが一枚の絶縁シート３０で開口側から覆われた構成になっている。なお、絶縁シート３０としては、最外方に位置するピン穴２２から周囲に所定の粘着面積が確保できる大きさが好ましい。また、設置部２５は、それよりも一回り大きい面積の範囲に構成してあると好ましい。
【００２５】
なお、設置部２５の形成深さは、絶縁シート３０を貼り合わせた状態で、その絶縁シート３０の下面側がケース２０内に収まるように設定するとよい。さらには、リフロー半田付け時等に、ピン穴２２内の空気が膨張し絶縁シート３０が部分的に少し押し下げられたとしても、絶縁シート３０の下面が、ケース２０の底部位置の下端位置から下方に突出しないように設定すると、その影響が抑えられて安定した半田付け状態で実装可能なものとなり好ましい。
【００２６】
以上のように、本発明によるプッシュスイッチは構成されている。当該構成であれば、ケース２０として、中央接点３や外側接点５がインサート成形により固定されて配設されたものを用いているにも拘わらず、そのケース２０の底部位置のピン穴２２を、絶縁シート３０で下方側から覆った構成としているため、防滴性に優れたものとして提供することができる。なお、当該構成であれば、複数のピン穴２２を一括して覆えるため、絶縁シート３０の貼り合わせ工数も少なくて済む。なお、当該構成品の動作は、従来同様のため説明は省略する。
【００２７】
なお、以上には、保護シート９とは別体の絶縁シート３０を用いて構成したものとしたが、それ以外の構成としてもよい。
【００２８】
例えば、保護シート９と絶縁シート３０とを一体化させた構成としてもよい。つまり、図６の他の形態によるプッシュスイッチを下方側から見た斜視図、図７の同分解斜視図に示すように、ケース２０の凹部上が、下面に粘着層４２が形成された長尺の保護シート４０によって覆われ、その保護シート４０の残部が、ケース２０の側部から底部の下面側にかけて巻き付けられ、この保護シート４０の一部を設置部２５内に貼り合わせるようにして、絶縁シート３０の代わりにピン穴２２を下方側から覆うように構成してもよい。
【００２９】
なお、保護シート４０をケース２０に巻き付けると設置部２５内では粘着層４２が上方に位置するようになるため、ピン穴２２を下方側から覆う絶縁シート３０の代わりとすることは容易にでき、当該構成であれば、使用部品点数の増加を抑えつつ防滴性に優れたものとして実現できる。
【００３０】
そして、保護シート４０は、凹部上を覆う部分よりも設置部２５内に配する部分が細幅となる場合には、曲げに対する保護シート４０の応力を考慮し、ケース２０の上面内の位置で、その幅が変わり、ケース２０の側部から下方に巻き付けられる部分は全て細幅形状にしておくと好ましい。なお、その巻き付け方は、ピン穴２２の位置関係に応じて、側面視でコの字状に巻き付けるなどとしてもよい。なお、ケース２０の側部にも設置部２５に相当するような窪みを形成して、その窪み内に保護シート４０が収まる構成としてもよい。
【００３１】
なお、上記では設置部２５をケース２０に備えさせた構成のものを例として説明したが、設置部２５は必ずしも設ける必要はなく、従来品のケース１に対しピン穴１５を絶縁シート３０や保護シート４０の一部で覆った構成としてもよい。
【００３２】
以上に説明したように、当該思想によるものはプッシュスイッチ単体で防滴性に優れたものに実現することができる。また、それと共に半田付け時のフラックスの侵入防止作用も向上したものともなるため、有用なものである。
【００３３】
なお、以上のいずれの形態のものにおいても、用いる可動接点の形状は限定されることはなく、また固定接点の配置位置も可動接点に応じて適宜設定されていればよい。スイッチ動作としても、二段以上のスイッチ状態が切り換えられる多段動作が可能なものなどであってもよい。また、本発明による思想を表面実装タイプ以外のものに適用したり、上述した所謂縦押し型以外の横押し型のもの等に適用したりしてもよい。
【００３４】
さらに、可動接点の中央部が確実に押圧されるように突起部材が可動接点の中央部位置に対応させて付設されていたり、金属カバーが付加されるなどとされていてもよい。
【産業上の利用可能性】
【００３５】
本発明によるプッシュスイッチは、固定接点がインサート成形により固定されて配設されているケースを用いているにも拘わらず、防滴性に優れたものとして提供することができるという有利な効果を有し、各種電子機器の操作部などに有用である。
【符号の説明】
【００３６】
３  中央接点
５  外側接点
７  可動接点
９  保護シート
１１、３２、４２  粘着層
２０  ケース
２２  ピン穴
２５  設置部
３０  絶縁シート
４０  保護シート
【図１】
0005923687.tif 000002
【図２】
0005923687.tif 000003
【図３】
0005923687.tif 000004
【図４】
0005923687.tif 000005
【図５】
0005923687.tif 000006
【図６】
0005923687.tif 000007
【図７】
0005923687.tif 000008
【図８】
0005923687.tif 000009
【図９】
0005923687.tif 000010
【図１０】
0005923687.tif 000011